(57)【要約】【課題】表示板の防振が可能な表示装置を提供する。【解決手段】表示板５の前方側周縁を覆うと共に表示板５の所要部を視認可能とする窓部Ｗが形成された見返し板１１を有し、見返し板１１の窓部Ｗの周縁背面に部分形成した当接部５１を表示板５に当接させてなる表示装置において、表示板５に対応した形状の支持部６ａによって表示板５を背後から支持する支持部材６を設け、見返し板５の背後に受け部材３を設け、支持部６ａに表示板５を間に挟んだ状態で当接部５１を受ける第１の受け部６２を設け、表示板５の視認方向において当接部５１及び第１の受部６２と重ならない支持部６ａ箇所に弾性片６３を設け、この弾性片６３に対応する受け部材３箇所に弾性片６３を背後から受ける第２の受け部３２を設けた。【選択図】図２
2011122970.tif 000002
【特許請求の範囲】
【請求項１】
表示板と、この表示板の前方側周縁を覆うと共に前記表示板の所要部を視認可能とする窓部が形成された見返し板とを有し、前記見返し板の前記窓部の周縁背面に部分形成した当接部を前記表示板に当接させてなる表示装置において、
前記表示板に対応した形状の支持部を有し当該支持部によって前記表示板を背後から支持する支持部材を設け、
前記見返し板の背後に受け部材を設け、
前記支持部に前記表示板を間に挟んだ状態で前記当接部を受ける第１の受け部を設け、
前記表示板の視認方向において前記当接部及び前記第１の受部と重ならない前記支持部箇所に弾性片を設け、
この弾性片に対応する前記受け部材箇所に前記弾性片を背後から受ける第２の受け部を設けたことを特徴とする表示装置。
【請求項２】
前記支持部材は、透光性の合成樹脂材料からなることを特徴とする請求項１に記載の表示装置。
【発明の詳細な説明】
【技術分野】
【０００１】
本発明は、例えば各種車両に適用される表示装置に関し、特に表示板の防振構造に係わる。
【背景技術】
【０００２】
この種の表示装置として、例えば下記特許文献１に記載の表示装置が知られている。この表示装置は、車両用の計器からなるもので、背後に計器本体２が装着されてなる表示板３と、この表示板３の前方側周縁を覆うと共に表示板３の所要部を視認可能とする窓部が形成された見返し板４とを有し、見返し板４の窓部の周縁背面に部分的に突出形成した当接下部４’を表示板３に当接させてなる。
【０００３】
当接下部４’に対応する表示板３箇所には、切り込み部１０を通じて切り起こし形成されたばね性を有する切り出し片（緩衝部）１１が形成され、この切り出し片１１に当接下部４’を押しあてることにより、見返し板４と表示板３とを弾性接触させ、表示板３の振動を抑える構造になっている。
【先行技術文献】
【特許文献】
【０００４】
【特許文献１】実開平３−１１０３１５号公報
【発明の概要】
【発明が解決しようとする課題】
【０００５】
しかしながら、特許文献１記載の表示装置は、表示板の周縁に切り込み部１０及び切り出し片１１が設けられているので、見栄えをよくするために切り込み部１０及び切り出し片１１を見返し板４で覆い隠す必要があり、そのためには表示板３の表示領域以外の領域を大きく確保しなくてはならず、省スペース化につながらないという問題があった。
【課題を解決するための手段】
【０００６】
そこで本発明は、表示板と、この表示板の前方側周縁を覆うと共に前記表示板の所要部を視認可能とする窓部が形成された見返し板とを有し、前記見返し板の窓部の周縁背面に部分形成した前記当接部を前記表示板に当接させてなる表示装置において、前記表示板に対応した形状の支持部を有し当該支持部によって前記表示板を背後から支持する支持部材を設け、前記見返し板の背後に受け部材を設け、前記支持部に前記表示板を間に挟んだ状態で前記当接部を受ける第１の受け部を設け、前記表示板の視認方向において前記当接部及び前記第１の受部と重ならない前記支持部箇所に弾性片を設け、この弾性片に対応する前記受け部材箇所に前記弾性片を背後から受ける第２の受け部を設けたものである。
【０００７】
また本発明は、前記支持部材は、透光性の合成樹脂材料からなるものである。
【発明の効果】
【０００８】
表示板の防振と見栄えの確保を可能とした表示装置を提供することができる。
【図面の簡単な説明】
【０００９】
【図１】本発明の実施例における表示装置の正面図。
【図２】同上のＡ−Ａ断面図。
【図３】同上のＢ−Ｂ断面図。
【図４】同上の表示板の正面図。
【図５】同上の導光体の正面図。
【図６】本発明の第２の実施例を示す図。
【発明を実施するための形態】
【００１０】
本発明を車両用計器からなる表示装置に適用した例を、添付図面に基づいて説明する。図１から図３に示すように、本実施形態における表示装置は、第１のケース体１と、第２のケース体２と、ハウジング（受け部材）３と回路基板４と、表示板５と、導光体（支持部材）６と光源７と指針８とから主に構成されている。
【００１１】
第１のケース体１は、図２に示すように、不透過性の合成樹脂から形成され、裏カバーからなる合成樹脂製の第２のケース体２との間に、表示板５、導光体６、回路基板４、ハウジング３、後述する指針や計器本体を収納している。
【００１２】
また、第１のケース体１は、表示板５の前方側周縁を覆い、表示板５の表示領域を視認可能とする無色透明な窓部Ｗを嵌め込んだ見返し板１１を備えている。
【００１３】
また、図３に示すように、見返し板１１は、表示板５側に延長した突起状の第１の押圧部１２を備えている。第１の押圧部１２は、その先端に合成ゴムなどの弾性変形可能な弾性部材１３を装着した状態で、表示板５に形成された後述する当接部５１と当接する長さに形成されている。
【００１４】
受け部材３は、例えば乳白色の合成樹脂などから形成されるものであって、導光体６を支持するように回路基板４上に配置されている。また受け部材３には、後述する弾性片が撓んだ際に当接するための第２の受け部３２を備えている。
【００１５】
表示板５は、指標部が印刷などによって施された合成樹脂製の板材であって、接着材などで導光体６に接合されている。
【００１６】
本実施形態における表示板５は、図３及び図４に示すように、表示板５と導光体６との径はほぼ同じ大きさである。表示板５の周縁には、外周に突出するように一体形成された当接部５１が３箇所設けられてある。
【００１７】
表示板５を支持する導光体６は、透光性樹脂からなり、図示しないがビスや係止片などによって回路基板４に配置されている。
【００１８】
また導光体６は、図２及び図５に示すように、表示板５に対応した形状の支持部６ａによって表示板５を背後から支持するものであり、図１及び図５に示すように、表示板５の当接部５１に対応する箇所に同形状の第１の受け部６２が設けられている。また、その第１の受け部６２の近傍に切り欠き部６１によって形成された弾性片６３が形成されている。
【００１９】
弾性片６３は、第１の押圧部１２が第１の受け部６２と当接部５１を上方から押すと、その押圧が弾性片６３に伝わり、下方に沈む構造となっている。弾性片６３が下方に撓むことで、表示板５に加わる振動を第２の受け部３２が緩衝するので、表示板５が振れるのを防ぐことができる構造となっている。
【００２０】
光源７は、表示板５を照明するために回路基板４に実装されるもので、例えば発光ダイオードなどからなる。
【００２１】
指針８は、計器本体９から延びる指針軸８１が、表示板５を貫通して先端に指針本体を装着したものである。
【００２２】
このように本発明によれば、表示板５と、この表示板５の前方側周縁を覆うと共に表示板５の所要部を視認可能とする窓部Ｗが形成された見返し板１１とを有し、見返し板１１の窓部Ｗの周縁背面に部分形成した当接部５１を表示板５に当接させてなる表示装置において、表示板５に対応した形状の支持部６ａを有し当該支持部６ａによって表示板５を背後から支持する支持部材６を設け、見返し板５の背後に受け部材３を設け、支持部６ａに表示板５を間に挟んだ状態で当接部５１を受ける第１の受け部６２を設け、表示板５の視認方向において当接部５１及び第１の受部６２と重ならない支持部６ａ箇所に弾性片６３を設け、この弾性片６３に対応する受け部材３箇所に弾性片６３を背後から受ける第２の受け部３２を設けたことによって、表示板５を第１のケース体１側からの押圧で固定すると共に、弾性片６３を緩衝材として用いて第２の受け部で振動を吸収することによって、計器装置に振動が加わったとしても表示板５が振れるのを防ぐことができる。
【００２３】
また本発明は、支持部材は、透光性の合成樹脂材料から形成される導光体６からなることによって、表示板５に弾性片６３を設ける必要がないので、表示板５の表示領域を有効的に使うことができ、見栄えを維持しながら防振が可能な表示装置を提供することができる。
【００２４】
なお、本実施形態では、第１の押圧部１２に弾性部材１３を装着するものであったが、第２の押圧部３１もしくは両方の押圧部に弾性部材１３を装着する構成としてもよい。
【００２５】
また、第２の実施形態として図６に示すように、弾性片６３を構成するために切り欠き部６１を設ける構成としなくても、第１の受け部６２のうち一か所を、弾性片６３として使用して振動を吸収することは可能であり、同様な効果が得られる。
【００２６】
なお、本実施形態では、受け部材３に第２の受け部３２を設ける構造を説明したが、例えば、第１又は第２のケース体１，２に突出した受け部などを弾性片６３が当設する箇所に設けて第２の受け部３２としてもよい。
【符号の説明】
【００２７】
１    第１のケース体
２    第２のケース体
３    ハウジング（受け部材）
４    回路基板
５    表示板
６    導光体（支持部材）
６ａ  支持部
７    光源
８    指針
９    計器本体
１１  見返し板
１２  第１の押圧部
１３  弾性部材
３１  第２の押圧部
３２  第２の受け部
５１  当接部
６１  切り欠き部
６２  第１の受け部
６３  弾性片
W    窓部
【図１】
2011122970.tif 000003
【図２】
2011122970.tif 000004
【図３】
2011122970.tif 000005
【図４】
2011122970.tif 000006
【図５】
2011122970.tif 000007
【図６】
2011122970.tif 000008